(57)【特許請求の範囲】
【請求項１】
相互に情報授受可能とされた店舗装置と紹介者端末装置と被紹介者端末装置とによって構成され、店舗や商品を紹介した紹介者が還元の利益を受け、その紹介者から紹介を受けて商品を購入した被紹介者が割引の利益を受けられるようにしたチケットシステムであって、
上記店舗装置は、
割引情報と還元情報を入力する割引／還元情報入力部と、
その割引／還元情報入力部により入力された割引情報と還元情報に対して同一の識別情報をそれぞれ割り当てて割引チケット情報と還元チケット情報を生成し、さらにそれら同一の識別情報を有する割引チケット情報と還元チケット情報を組にして組チケット情報を生成するチケット生成部と、
上記組チケット情報と、その組チケット情報のステータス情報とを記憶する記憶部と、
割引／還元処理部とを具備し、
上記紹介者端末装置は上記店舗装置から受けた上記組チケット情報を記憶する記憶部を具備し、
上記被紹介者端末装置は上記紹介者端末装置から受けた上記割引チケット情報を記憶する記憶部を具備するものとされ、
上記店舗装置は、上記被紹介者端末装置から上記割引チケット情報を受けることにより、上記割引／還元処理部が割引処理を実行し、かつその割引チケット情報に基づいて割引処理を実行したことを上記ステータス情報を更新して割引登録し、
上記店舗装置は、上記紹介者端末装置から上記還元チケット情報を受けることにより、その還元チケット情報の識別情報と同一の識別情報を有する割引チケット情報に対して割引処理が実行されているか否かを上記ステータス情報を検索して確認し、割引処理が実行されている場合に上記割引／還元処理部が還元処理を実行することを特徴とする店舗及び商品紹介のためのチケットシステム。
【請求項２】
請求項１記載の店舗及び商品紹介のためのチケットシステムにおいて、
上記割引チケット情報及び還元チケット情報は上記チケット生成部によって付与された認証情報をそれぞれ含むものとされ、
上記店舗装置は上記被紹介者端末装置から受けた割引チケット情報及び上記紹介者端末装置から受けた還元チケット情報をそれぞれ上記認証情報によって検証するチケット検証部を具備することを特徴とする店舗及び商品紹介のためのチケットシステム。
【請求項３】
請求項２記載の店舗及び商品紹介のためのチケットシステムにおいて、
上記割引チケット情報及び還元チケット情報が含む上記認証情報をそれぞれ第１及び第２の認証情報とする時、第１の認証情報は上記店舗装置の記憶部に格納された鍵情報を用いて上記識別情報と割引情報から計算された認証子とされ、第２の認証情報は上記鍵情報を用いて上記識別情報と還元情報から計算された認証子とされていることを特徴とする店舗及び商品紹介のためのチケットシステム。
【請求項４】
店舗や商品を紹介した紹介者が還元の利益を受け、その紹介者から紹介を受けて商品を購入した被紹介者が割引の利益を受けられるようにしたチケットシステムであって、
相互に情報授受可能とされた店舗装置と紹介者端末装置と被紹介者端末装置とを備え、さらに上記店舗装置と情報授受可能とされた管理装置を備えて構成され、
上記店舗装置は、割引情報と還元情報を入力する割引／還元情報入力部と、割引／還元処理部とを具備し、割引／還元情報入力部に入力された割引情報と還元情報を上記管理装置に送信し、
上記管理装置は、上記店舗装置から受けた割引情報と還元情報に対して同一の識別情報をそれぞれ割り当てて割引チケット情報と還元チケット情報を生成し、さらにそれら同一の識別情報を有する割引チケット情報と還元チケット情報を組にして組チケット情報を生成するチケット生成部と、上記組チケット情報とその組チケット情報のステータス情報とを記憶する記憶部とを具備し、生成した組チケット情報を上記店舗装置に送信し、
上記紹介者端末装置は上記組チケット情報を上記店舗装置から受け、その受けた組チケット情報を記憶する記憶部を具備し、
上記被紹介者端末装置は上記紹介者端末装置から受けた上記割引チケット情報を記憶する記憶部を具備するものとされ、
上記店舗装置は、上記被紹介者端末装置から上記割引チケット情報を受けることにより、上記割引／還元処理部が割引処理を実行し、かつその割引チケット情報に基づいて割引処理を実行したことを上記管理装置に通知し、
上記管理装置は、上記店舗装置から割引処理の実行通知を受けた場合、上記ステータス情報を更新して割引登録し、
上記店舗装置は、上記紹介者端末装置から上記還元チケット情報を受けることにより、その還元チケット情報を上記管理装置に送信し、
上記管理装置は、上記店舗装置から受けた還元チケット情報の識別情報と同一の識別情報を有する割引チケット情報に対して割引処理が実行されているか否かを上記ステータス情報を検索して確認し、その確認結果を上記店舗装置に送信し、
上記店舗装置は、上記確認結果により割引処理が実行されていることを確認した場合、上記管理装置に送信した還元チケット情報に基づいて上記割引／還元処理部が還元処理を実行することを特徴とする店舗及び商品紹介のためのチケットシステム。
【請求項５】
店舗や商品を紹介した紹介者が還元の利益を受け、その紹介者から紹介を受けて商品を購入した被紹介者が割引の利益を受けられるようにしたチケットシステムであって、
相互に情報授受可能とされた店舗装置と紹介者端末装置と被紹介者端末装置とを備え、さらに上記店舗装置と情報授受可能とされた管理装置を備えて構成され、
上記店舗装置は、割引情報と還元情報を入力する割引／還元情報入力部と、上記管理装置から受けた組チケット情報とその組チケット情報のステータス情報とを記憶する記憶部と、割引／還元処理部とを具備し、割引／還元情報入力部に入力された割引情報と還元情報を上記管理装置に送信し、
上記管理装置は、上記店舗装置から受けた割引情報と還元情報に対して同一の識別情報をそれぞれ割り当てて割引チケット情報と還元チケット情報を生成し、さらにそれら同一の識別情報を有する割引チケット情報と還元チケット情報を組にして上記組チケット情報を生成するチケット生成部を具備し、生成した上記組チケット情報を上記店舗装置に送信し、
上記紹介者端末装置は上記組チケット情報を上記店舗装置から受け、その受けた組チケット情報を記憶する記憶部を具備し、
上記被紹介者端末装置は上記紹介者端末装置から受けた上記割引チケット情報を記憶する記憶部を具備するものとされ、
上記店舗装置は、上記被紹介者端末装置から上記割引チケット情報を受けることにより、上記割引／還元処理部が割引処理を実行し、かつその割引チケット情報に基づいて割引処理を実行したことを上記ステータス情報を更新して割引登録し、
上記店舗装置は、上記紹介者端末装置から上記還元チケット情報を受けることにより、
その還元チケット情報の識別情報と同一の識別情報を有する割引チケット情報に対して割引処理が実行されているか否かを上記ステータス情報を検索して確認し、割引処理が実行されている場合に上記割引／還元処理部が還元処理を実行することを特徴とする店舗及び商品紹介のためのチケットシステム。
【請求項６】
請求項４又は５記載の店舗及び商品紹介のためのチケットシステムにおいて、
上記割引チケット情報及び還元チケット情報は上記チケット生成部によって付与された認証情報をそれぞれ含むものとされ、
上記管理装置は上記店舗装置が上記被紹介者端末装置から受けた割引チケット情報及び上記店舗装置が上記紹介者端末装置から受けた還元チケット情報をそれぞれ上記認証情報によって検証するチケット検証部を具備することを特徴とする店舗及び商品紹介のためのチケットシステム。
【請求項７】
請求項６記載の店舗及び商品紹介のためのチケットシステムにおいて、
上記割引チケット情報及び還元チケット情報が含む上記認証情報をそれぞれ第１及び第２の認証情報とする時、第１の認証情報は上記管理装置の記憶部に格納された鍵情報を用いて上記識別情報と割引情報から計算された認証子とされ、第２の認証情報は上記鍵情報を用いて上記識別情報と還元情報から計算された認証子とされていることを特徴とする店舗及び商品紹介のためのチケットシステム。
【請求項８】
請求項４又は５記載の店舗及び商品紹介のためのチケットシステムにおいて、
上記店舗装置は上記被紹介者端末装置から受けた上記割引チケット情報に含まれる上記割引情報の内容を確認する割引情報確認部を具備することを特徴とする店舗及び商品紹介のためのチケットシステム。
【請求項９】
店舗や商品を紹介した紹介者が還元の利益を受け、その紹介者から紹介を受けて商品を購入した被紹介者が割引の利益を受けられるようにしたチケットシステムであって、
店舗装置と、紹介者端末装置と、それら店舗装置及び紹介者端末装置とそれぞれ情報授受可能とされたチケット配布装置と、上記店舗装置及び紹介者端末装置とそれぞれ情報授受可能とされた被紹介者端末装置とによって構成され、
上記チケット配布装置は、
還元情報を入力する還元情報入力部と、
その還元情報入力部により入力された還元情報に対して識別情報を割り当てて還元チケット情報を生成する還元チケット生成部と、
上記還元チケット情報と、その還元チケット情報と同一の識別情報を有する組チケット情報のステータス情報とを記憶する記憶部と、
還元処理部とを具備し、
上記店舗装置は、
割引情報を入力する割引情報入力部と、
その割引情報入力部により入力された割引情報に対して、その割引情報と関連する上記還元情報に割り当てられた識別情報を上記チケット配布装置から受信して割り当てて割引チケット情報を生成する割引チケット生成部と、
上記割引チケット情報を記憶する記憶部と、
割引処理部とを具備し、
上記紹介者端末装置は、上記店舗装置から上記チケット配布装置に送信された上記割引チケット情報と、その割引チケット情報と同一の識別情報を有する上記還元チケット情報とが組にされた上記組チケット情報を上記チケット配布装置から受け、その受けた組チケット情報を記憶する記憶部を具備し、
上記被紹介者端末装置は上記紹介者端末装置から受けた上記割引チケット情報を記憶する記憶部を具備するものとされ、
上記店舗装置は、上記被紹介者端末装置から上記割引チケット情報を受けることにより、上記割引処理部が割引処理を実行し、かつその割引チケット情報に基づいて割引処理を実行したことを上記チケット配布装置に通知し、
上記チケット配布装置は、上記店舗装置から割引処理の実行通知を受けた場合、上記ステータス情報を更新して割引登録し、
上記チケット配布装置は、上記紹介者端末装置から上記還元チケット情報を受けることにより、その還元チケット情報の識別情報と同一の識別情報を有する割引チケット情報に対して割引処理が実行されているか否かを上記ステータス情報を検索して確認し、割引処理が実行されている場合に上記還元処理部が還元処理を実行することを特徴とする店舗及び商品紹介のためのチケットシステム。
【請求項１０】
請求項９記載の店舗及び商品紹介のためのチケットシステムにおいて、
上記割引チケット情報は上記割引チケット生成部によって付与された第１の認証情報を含み、上記還元チケット情報は上記還元チケット生成部によって付与された第２の認証情報を含むものとされ、
上記店舗装置は上記被紹介者端末装置から受けた割引チケット情報を上記第１の認証情報によって検証する割引チケット検証部を具備し、
上記チケット配布装置は上記紹介者端末装置から受けた還元チケット情報を上記第２の認証情報によって検証する還元チケット検証部を具備することを特徴とする店舗及び商品紹介のためのチケットシステム。
【請求項１１】
請求項１０記載の店舗及び商品紹介のためのチケットシステムにおいて、
上記第１の認証情報は上記店舗装置の記憶部に格納された鍵情報を用いて上記識別情報と割引情報から計算された認証子とされ、
上記第２の認証情報は上記チケット配布装置の記憶部に格納された鍵情報を用いて上記識別情報と還元情報から計算された認証子とされていることを特徴とする店舗及び商品紹介のためのチケットシステム。
【請求項１２】
店舗や商品を紹介した紹介者が還元の利益を受け、その紹介者から紹介を受けて商品を購入した被紹介者が割引の利益を受けられるようにしたチケットシステムであって、
店舗装置と、紹介者端末装置と、それら店舗装置及び紹介者端末装置とそれぞれ情報授受可能とされたチケット配布装置と、上記店舗装置及び紹介者端末装置とそれぞれ情報授受可能とされた被紹介者端末装置と、上記店舗装置と情報授受可能とされた管理装置とに
よって構成され、
上記チケット配布装置は、還元情報を入力する還元情報入力部と、還元処理部とを具備し、還元情報入力部に入力された還元情報を上記店舗装置に送信し、 
上記店舗装置は、割引情報を入力する割引情報入力部と、割引処理部とを具備し、割引情報入力部に入力された割引情報と上記チケット配布装置から受けた還元情報とを上記管理装置に送信し、
上記管理装置は、上記店舗装置から受けた割引情報と還元情報に対して同一の識別情報をそれぞれ割り当てて割引チケット情報と還元チケット情報を生成し、さらにそれら同一の識別情報を有する割引チケット情報と還元チケット情報を組にして組チケット情報を生成するチケット生成部と、上記組チケット情報とその組チケット情報のステータス情報とを記憶する記憶部とを具備し、生成した組チケット情報を上記店舗装置に送信し、
上記店舗装置は上記管理装置から受けた組チケット情報を上記チケット配布装置に送信し、
上記紹介者端末装置は上記組チケット情報を上記チケット配布装置から受け、その受けた組チケット情報を記憶する記憶部を具備し、
上記被紹介者端末装置は上記紹介者端末装置から受けた上記割引チケット情報を記憶する記憶部を具備するものとされ、
上記店舗装置は、上記被紹介者端末装置から上記割引チケット情報を受けることにより、上記割引処理部が割引処理を実行し、かつその割引チケット情報に基づいて割引処理を実行したことを上記管理装置に通知し、
上記管理装置は上記店舗装置から割引処理の実行通知を受けた場合、上記ステータス情報を更新して割引登録し、
上記チケット配布装置は上記紹介者端末装置から上記還元チケット情報を受けることにより、その還元チケット情報を上記店舗装置に送信し、
上記店舗装置は上記チケット配布装置から受けた還元チケット情報を上記管理装置に送信し、
上記管理装置は、上記店舗装置から受けた還元チケット情報の識別情報と同一の識別情報を有する割引チケット情報に対して割引処理が実行されているか否かを上記ステータス情報を検索して確認し、その確認結果を上記店舗装置に送信し、
上記店舗装置は上記管理装置から受けた確認結果を上記チケット配布装置に送信し、
上記チケット配布装置は、上記確認結果により割引処理が実行されていることを確認した場合、上記店舗装置に送信した還元チケット情報に基づいて上記還元処理部が還元処理を実行することを特徴とする店舗及び商品紹介のためのチケットシステム。
【請求項１３】
請求項１２記載の店舗及び商品紹介のためのチケットシステムにおいて、
上記割引チケット情報及び還元チケット情報は上記チケット生成部によって付与された認証情報をそれぞれ含むものとされ、
上記管理装置は上記店舗装置が上記被紹介者端末装置から受けた割引チケット情報及び上記チケット配布装置が上記紹介者端末装置から受けた還元チケット情報をそれぞれ上記認証情報によって検証するチケット検証部を具備することを特徴とする店舗及び商品紹介のためのチケットシステム。
【請求項１４】
請求項１３記載の店舗及び商品紹介のためのチケットシステムにおいて、
上記割引チケット情報及び還元チケット情報が含む上記認証情報をそれぞれ第１及び第２の認証情報とする時、第１の認証情報は上記管理装置の記憶部に格納された鍵情報を用いて上記識別情報と割引情報から計算された認証子とされ、第２の認証情報は上記鍵情報を用いて上記識別情報と還元情報から計算された認証子とされていることを特徴とする店舗及び商品紹介のためのチケットシステム。
【請求項１５】
請求項１２記載の店舗及び商品紹介のためのチケットシステムにおいて、
上記店舗装置は上記被紹介者端末装置から受けた上記割引チケット情報に含まれる上記割引情報の内容を確認する割引情報確認部を具備することを特徴とする店舗及び商品紹介のためのチケットシステム。
【請求項１６】
店舗や商品を紹介した紹介者が還元の利益を受け、その紹介者から紹介を受けて商品を購入した被紹介者が割引の利益を受けられるようにしたチケットシステムであって、
相互に情報授受可能とされた店舗装置と紹介者端末装置と被紹介者端末装置とを備え、さらに上記店舗装置及び紹介者端末装置とそれぞれ情報授受可能とされた通知装置を備えて構成され、
上記店舗装置は、
割引情報と還元情報と通知情報を入力する割引／還元情報入力部と、
その割引／還元情報入力部により入力された割引情報と還元情報に対して同一の識別情報をそれぞれ割り当て、かつ第１及び第２の認証情報をそれぞれに付与して割引チケット情報と還元チケット情報を生成し、さらに上記識別情報に第３の認証情報を付与して発行
証明情報を生成し、それら同一の識別情報を有する割引チケット情報と還元チケット情報と発行証明情報を組にして組チケット情報を生成するチケット生成部と、
上記組チケット情報と、その組チケット情報のステータス情報とを記憶する記憶部と、
チケット検証部と、
割引／還元処理部とを具備し、
上記紹介者端末装置は上記店舗装置から受けた上記組チケット情報を記憶する記憶部を具備し、
上記被紹介者端末装置は上記紹介者端末装置から受けた上記割引チケット情報を記憶する記憶部を具備し、
上記通知装置は発行証明情報検証部と記憶部と検索部とを具備するものとされ、
上記通知装置は上記紹介者端末装置から上記発行証明情報と連絡先情報を受けることにより、上記発行証明情報検証部がその発行証明情報を上記第３の認証情報によって検証し、正当であれば発行証明情報に含まれる識別情報と上記連絡先情報とを組にして上記記憶部に記憶し、
上記店舗装置は上記被紹介者端末装置から上記割引チケット情報を受けることにより、上記チケット検証部がその割引チケット情報を上記第１の認証情報によって検証し、正当であれば上記割引／還元処理部が割引処理を実行し、かつその割引チケット情報に基づいて割引処理を実行したことを上記ステータス情報を更新して割引登録すると共に、その割引チケット情報に含まれる識別情報と上記通知情報とを上記通知装置に送信し、
上記通知装置は上記店舗装置から上記識別情報と通知情報を受けることにより、上記検索部がその識別情報と組とされた上記連絡先情報を上記記憶部から検索し、その連絡先情報をもとに上記紹介者端末装置に上記通知情報を送信し、
上記店舗装置は上記紹介者端末装置から上記還元チケット情報を受けることにより、上記チケット検証部がその還元チケット情報を上記第２の認証情報によって検証し、かつその還元チケット情報の識別情報と同一の識別情報を有する割引チケット情報に対して割引処理が実行されているか否かを上記ステータス情報を検索して確認し、上記チケット検証部での検証結果が正当であり、かつ割引処理が実行されている場合に上記割引／還元処理部が還元処理を実行することを特徴とする店舗及び商品紹介のためのチケットシステム。
【請求項１７】
請求項１６記載の店舗及び商品紹介のためのチケットシステムにおいて、
上記第１の認証情報は上記店舗装置の記憶部に格納された鍵情報を用いて上記識別情報と割引情報から計算された認証子とされ、上記第２の認証情報は上記鍵情報を用いて上記識別情報と割引情報から計算された認証子とされ、上記第３の認証情報は上記鍵情報を用いて上記識別情報から計算された認証子とされ、
上記通知装置は上記鍵情報と同じ鍵情報を上記記憶部に格納していることを特徴とする店舗及び商品紹介のためのチケットシステム。
【請求項１８】
店舗や商品を紹介した紹介者が還元の利益を受け、その紹介者から紹介を受けて商品を購入した被紹介者が割引の利益を受けられるようにしたチケットシステムであって、
相互に情報授受可能とされた店舗装置と紹介者端末装置と被紹介者端末装置とを備え、さらに上記店舗装置及び被紹介者端末装置とそれぞれ情報授受可能とされた通知装置を備えて構成され、
上記店舗装置は、
割引情報と還元情報を入力する割引／還元情報入力部と、
その割引／還元情報入力部により入力された割引情報と還元情報に対して同一の識別情報をそれぞれ割り当てて割引チケット情報と還元チケット情報を生成し、さらにそれら同一の識別情報を有する割引チケット情報と還元チケット情報を組にして組チケット情報を生成するチケット生成部と、
上記組チケット情報と、その組チケット情報のステータス情報とを記憶する記憶部と、
割引／還元処理部とを具備し、
上記紹介者端末装置は上記店舗装置から受けた上記組チケット情報を記憶する記憶部を具備し、
上記被紹介者端末装置は上記紹介者端末装置から受けた上記割引チケット情報を記憶する記憶部を具備し、
上記通知装置は記憶部と検索部とを具備するものとされ、
上記通知装置は上記被紹介者端末装置から上記割引チケット情報と連絡先情報を受けることにより、その割引チケット情報に含まれる識別情報と上記連絡先情報とを組にして上記記憶部に記憶し、
上記店舗装置は上記被紹介者端末装置から上記割引チケット情報を受けることにより、上記割引／還元処理部が割引処理を実行し、かつその割引チケット情報に基づいて割引処理を実行したことを上記ステータス情報を更新して割引登録すると共に、その割引チケット情報に含まれる識別情報と割引処理を実行したことに基づくチケット利用情報とを上記通知装置に送信し、
上記通知装置は上記店舗装置から上記識別情報とチケット利用情報を受けることにより、上記検索部がその識別情報と組とされた上記連絡先情報を上記記憶部から検索し、その連絡先情報をもとに上記割引チケット情報と連絡先情報とを送信してきた被紹介者端末装置に上記チケット利用情報を送信し、
上記店舗装置は上記紹介者端末装置から上記還元チケット情報を受けることにより、その還元チケット情報の識別情報と同一の識別情報を有する割引チケット情報に対して割引処理が実行されているか否かを上記ステータス情報を検索して確認し、割引処理が実行されている場合に上記割引／還元処理部が還元処理を実行することを特徴とする店舗及び商品紹介のためのチケットシステム。
【請求項１９】
請求項１８記載の店舗及び商品紹介のためのチケットシステムにおいて、
上記割引チケット情報及び還元チケット情報は上記チケット生成部によって付与された認証情報をそれぞれ含むものとされ、
上記店舗装置は上記被紹介者端末装置から受けた割引チケット情報及び上記紹介者端末装置から受けた還元チケット情報をそれぞれ上記認証情報によって検証するチケット検出部を具備し、
上記通知装置は上記被紹介者端末装置から受けた割引チケット情報を上記認証情報によって検証するチケット検証部を具備することを特徴とする店舗及び商品紹介のためのチケットシステム。
【請求項２０】
請求項１９記載の店舗及び商品紹介のためのチケットシステムにおいて、
上記割引チケット情報及び還元チケット情報が含む上記認証情報をそれぞれ第１及び第２の認証情報とする時、第１の認証情報は上記店舗装置の記憶部に格納された鍵情報を用いて上記識別情報と割引情報から計算された認証子とされ、第２の認証情報は上記鍵情報を用いて上記識別情報と還元情報から計算された認証子とされ、
上記通知装置は上記鍵情報と同じ鍵情報を上記記憶部に格納していることを特徴とする店舗及び商品紹介のためのチケットシステム。
【請求項２１】
請求項１乃至２０記載のいずれかの店舗及び商品紹介のためのチケットシステムにおいて、
上記割引情報に広告情報が含まれていることを特徴とする店舗及び商品紹介のためのチケットシステム。
【請求項２２】
請求項１乃至２０記載のいずれかの店舗及び商品紹介のためのチケットシステムにおいて、
上記割引情報に、上記店舗装置が同一識別情報の上記割引チケット情報を複数の上記被紹介者端末装置から受けた場合に実行する割引条件が含まれていることを特徴とする店舗及び商品紹介のためのチケットシステム。
【発明の詳細な説明】
【技術分野】
【０００１】
この発明は店舗が販売を促進するために、割引や利益還元が可能なチケット情報を顧客に配布するチケットシステムに関する。特に、顧客がチケット情報を他の顧客に通知することにより商品や店舗の紹介を行い、紹介した顧客及び紹介された顧客の双方が利益を受けられるチケットシステムに関する。
【背景技術】
【０００２】
従来、店舗が販売を促進するため、顧客間で商品を紹介してもらう仕組みが利用されている。特に、紹介により紹介者と被紹介者の双方が利益を受けられるシステムが考えられている。
例えば、特許文献１には第１のユーザ（紹介者）と第２のユーザ（被紹介者）が事前に商品提供者サーバに登録し、第１のユーザのユーザ識別子を含んだ商品に関する情報を、第１のユーザが第２のユーザに配信し、その商品に関する情報に基づき、第２のユーザが商品提供者サーバにアクセスした場合に、第１のユーザにサービスポイントを付与することで、紹介者である第１のユーザに利益を還元し、さらに被紹介者である第２のユーザにもサービスポイントを付与して利益を供与するシステムが記載されている。
即ち、従前の紙ベースの割引クーポンでは紹介者の特定が困難であり、紹介者に利益を還元することができなかったが、この特許文献１に記載されたシステムでは第２のユーザに通知する商品に関する情報に第１のユーザのユーザ識別子を含ませることで紹介者である第１のユーザを特定できるようにし、また第１のユーザが商品提供者サーバに事前に登録しておくことで商品提供者サーバ上で管理された第１のユーザのサービスポイントの加算を可能とし、つまり紹介者への利益の還元を可能にしている。
【特許文献１】特開２００３−１１４９９８号公報
【発明の開示】
【発明が解決しようとする課題】
【０００３】
しかしながら、このような特許文献１に記載されたシステムでは、紹介者である第１のユーザが紹介に伴う還元を受けるためには、事前に商品提供者サーバに登録しておくことが必要であり、さらに被紹介者である第２のユーザも利益を受けるためには、同様に事前に商品提供者サーバに登録しておくことが必要であり、このため登録に伴う事前手続きが煩雑であることや登録が個人情報の提供という意味で心理的な抵抗となって利用の妨げになるという問題があった。
即ち、従来の、紹介者及び被紹介者の双方が利益を受けることのできる紹介システムにおいては、紹介者及び被紹介者の双方が事前に商品提供者サーバに登録することが必要なため、簡単に、かつ安心して紹介システムを利用することができないといった問題があった。
この発明の目的はこのような問題に鑑み、紹介者及び被紹介者の双方が共に店舗に事前登録することなく、紹介に伴う利益を受けられるようにしたチケットシステムを提供することにある。
【課題を解決するための手段】
【０００４】
この発明による店舗及び商品紹介のためのチケットシステムは、相互に情報授受可能とされた店舗装置と紹介者端末装置と被紹介者端末装置とによって構成され、店舗や商品を紹介した紹介者が還元の利益を受け、その紹介者から紹介を受けて商品を購入した被紹介者が割引の利益を受けられるようにしたチケットシステムであって、店舗装置は、割引情報と還元情報を入力する割引／還元情報入力部と、その割引／還元情報入力部により入力された割引情報と還元情報に対して同一の識別情報をそれぞれ割り当てて割引チケット情報と還元チケット情報を生成し、さらにそれら同一の識別情報を有する割引チケット情報と還元チケット情報を組にして組チケット情報を生成するチケット生成部と、組チケット情報とその組チケット情報のステータス情報とを記憶する記憶部と、割引／還元処理部とを具備し、紹介者端末装置は店舗装置から受けた組チケット情報を記憶する記憶部を具備し、被紹介者端末装置は紹介者端末装置から受けた割引チケット情報を記憶する記憶部を具備するものとされ、店舗装置は被紹介者端末装置から割引チケット情報を受けることにより、割引／還元処理部が割引処理を実行し、かつその割引チケット情報に基づいて割引処理を実行したことをステータス情報を更新して割引登録し、店舗装置は紹介者端末装置から還元チケット情報を受けることにより、その還元チケット情報の識別情報と同一の識別情報を有する割引チケット情報に対して割引処理が実行されているか否かをステータス情報を検索して確認し、割引処理が実行されている場合に割引／還元処理部が還元処理を実行するものとされる。          
【０００５】
さらに、この発明による店舗及び商品紹介のためのチケットシステムは、店舗や商品を紹介した紹介者が還元の利益を受け、その紹介者から紹介を受けて商品を購入した被紹介者が割引の利益を受けられるようにしたチケットシステムであって、相互に情報授受可能とされた店舗装置と紹介者端末装置と被紹介者端末装置とを備え、さらに店舗装置と情報授受可能とされた管理装置を備えて構成され、店舗装置は、割引情報と還元情報を入力する割引／還元情報入力部と、割引／還元処理部とを具備し、割引／還元情報入力部に入力された割引情報と還元情報を管理装置に送信し、管理装置は、店舗装置から受けた割引情報と還元情報に対して同一の識別情報をそれぞれ割り当てて割引チケット情報と還元チケット情報を生成し、さらにそれら同一の識別情報を有する割引チケット情報と還元チケット情報を組にして組チケット情報を生成するチケット生成部と、組チケット情報とその組チケット情報のステータス情報とを記憶する記憶部とを具備し、生成した組チケット情報を店舗装置に送信し、紹介者端末装置は組チケット情報を店舗装置から受け、その受けた組チケット情報を記憶する記憶部を具備し、被紹介者端末装置は紹介者端末装置から受けた割引チケット情報を記憶する記憶部を具備するものとされ、店舗装置は被紹介者端末装置から割引チケット情報を受けることにより、割引／還元処理部が割引処理を実行し、かつその割引チケット情報に基づいて割引処理を実行したことを管理装置に通知し、管理装置は、店舗装置から割引処理の実行通知を受けた場合、ステータス情報を更新して割引登録し、店舗装置は紹介者端末装置から還元チケット情報を受けることにより、その還元チケット情報を管理装置に送信し、管理装置は店舗装置から受けた還元チケット情報の識別情報と同一の識別情報を有する割引チケット情報に対して割引処理が実行されているか否かをステータス情報を検索して確認し、その確認結果を店舗装置に送信し、店舗装置は上記確認結果により割引処理が実行されていることを確認した場合、管理装置に送信した還元チケット情報に基づいて割引／還元処理部が還元処理を実行するものとされる。
【発明の効果】
【０００６】
この発明によれば、商品または店舗を紹介する紹介者と、その紹介を受けて商品を購入する被紹介者が、事前に店舗に登録することなく、共に還元や割引等の利益を受けることができる。特に、紹介者は初めて訪れた店舗で一度きりの買い物をした場合であっても、簡単かつ気軽に紹介者としての利益を受けることができる。また、個人情報等の店舗への登録が不要なため、安心して利用することができる。
【発明を実施するための最良の形態】
【０００７】
この発明の実施形態を図面を参照して説明する。
〈実施形態１〉
図１はこの発明による店舗及び商品紹介のためのチケットシステムの実施形態１のシステム構成例を示したものであり、チケットシステム１０は店舗装置１００と紹介者端末装置２００と被紹介者端末装置３００とを備えた構成となっている。
この例では店舗は売り場を有する実店舗とされ、店舗装置１００は店舗に置かれる装置とされる。店舗装置１００は例えばＰＯＳ端末等を含んで構成することもできる。紹介者端末装置２００及び被紹介者端末装置３００は例えば携帯電話機やＰＤＡ（携帯情報端末）などの個人が携帯する機器とされる。
店舗装置１００と紹介者端末装置２００と被紹介者端末装置３００とは相互に情報授受可能とされており、この例では店舗装置１００と紹介者端末装置２００とはＩｒＤＡ、Bluetooth、ＵＷＢ等のＰＡＮ（Personal Area Network）技術や非接触ＩＣカード技術により通信を行うものとされる。なお、店舗装置１００と被紹介者端末装置３００も、店舗装置１００と紹介者端末装置２００と同様の技術により通信を行うものとされる。紹介者端末装置２００と被紹介者端末装置３００とはネットワーク、例えばインターネットや電子メール送信が可能な閉域ネットワークにより、あるいはＰＡＮ技術や非接触ＩＣカード技術により通信を行うものとされる。
【０００８】
図２は店舗装置１００の内部構成例を示したものであり、店舗装置１００はこの例では割引／還元情報入力部１１０、識別情報生成部１２０、記憶部１３０、チケット生成部１４０、チケット入出力部１５０、チケット検証部１６０、割引／還元処理部１７０及び制御部１８０を備えるものとされる。
割引／還元情報入力部１１０は割引情報と還元情報を入力する。ここで、割引とは商品購入時に購入金額が下がるなどの購入者へのサービスを表す。また、還元とは顧客が他の顧客に商品や店舗を紹介することで紹介された顧客の購入に結びついた場合などに、紹介した顧客に店舗から価値を与えることを表す。還元の例としては次回購入時の割引券などを与えることである。割引情報とは顧客にどのような割引を実施するかを表す情報であり、割引対象となる商品、割引が可能な店舗、割引額もしくは割引率、割引の期限等の割引条件が含まれる。割引情報は商品や店舗に対する広告情報も含むものとされる。また、還元情報とは還元内容、還元を受けられる条件等を表す情報とする。
【０００９】
識別情報生成部１２０は制御部１８０からの指示により割引情報及び還元情報に対して割り当てる一意の識別情報を生成する。識別情報は例えばシリアル番号とされる。
チケット生成部１４０はこの例では記憶部１３０に格納された鍵情報１３１を用いて、割引情報と識別情報の組に対応する第１の認証情報と、還元情報と識別情報の組に対応する第２の認証情報をそれぞれ計算し、識別情報と割引情報と第１の認証情報とからなる割引チケット情報と、識別情報と還元情報と第２の認証情報とからなる還元チケット情報を生成し、さらに同一の識別情報を有する割引チケット情報と還元チケット情報を組にして組チケット情報を生成する。
記憶部１３０は鍵情報１３１を記憶すると共に、チケットＤＢ（Data Base）１３２に
チケット生成部１４０で生成された組チケット情報を一時的に記憶する。
チケット入出力部１５０はＰＡＮインターフェースや非接触ＩＣカードインターフェースにより、組チケット情報、割引チケット情報、還元チケット情報等の入出力を行う。
チケット検証部１６０は被紹介者端末装置３００から受信した割引チケット情報や紹介者端末装置２００から受信した還元チケット情報の検証を行う。
割引／還元処理部１７０はチケット検証部１６０で検証された割引チケット情報、還元チケット情報に基づき、それぞれ割引処理、還元処理を実行する。
【００１０】
制御部１８０は店舗装置１００全体の制御を行う。
次に、紹介者端末装置２００について説明する。図３は紹介者端末装置２００の内部構成例を示したものであり、紹介者端末装置２００はこの例ではチケット入出力部２１０、記憶部２２０、入力部２３０、表示部２４０、制御部２５０及びネットワークインターフェース２６０を備えるものとされる。
チケット入出力部２１０はＰＡＮインターフェースや非接触ＩＣカードインターフェースにより組チケット情報、割引チケット情報、還元チケット情報等の入出力を行う。記憶部２２０は入力された組チケット情報をチケットＤＢ２２１に記憶する。入力部２３０は記憶された割引チケット情報、還元チケット情報の送信など、紹介者端末装置２００の保持者である顧客の指示を入力する。表示部２４０はチケットＤＢ２２１に蓄積された組チケット情報の表示等を行う。ネットワークインターフェース２６０はネットワークを介して割引チケット情報等の入出力を行う。制御部２５０は紹介者端末装置２００全体の制御を行う。なお、被紹介者端末装置３００も紹介者端末装置２００と同様の構成とされる。
【００１１】
次に、上記のような構成とされたチケットシステム１０の動作について、図４に示した動作を表すシーケンス図を参照して説明する。
まず最初に、店舗（店舗の人）は割引情報と還元情報を割引／還元情報入力部１１０から入力して設定する（ステップＳ１）。店舗装置１００はチケット生成部１４０において、設定された割引情報及び還元情報に対して同一の識別情報を割り当て、さらに割引情報及び還元情報に対してそれぞれ第１の認証情報及び第２の認証情報を付与して割引チケット情報と還元チケット情報（図５（ｂ），（ｃ）参照）を生成する（ステップＳ２）。さらに、チケット生成部１４０は割引チケット情報と還元チケット情報を組にして組チケット情報（図５（ａ）参照）を生成する（ステップＳ３）。組チケット情報は記憶部１３０のチケットＤＢ１３２に格納される（ステップＳ４）。
顧客が店舗で買い物をした時、店舗装置１００は買い物をした顧客の紹介者端末装置２００に組チケット情報を送信する（ステップＳ５）。ステップＳ５は具体的には店舗装置１００と紹介者端末装置２００とを近接させることにより、ＰＡＮ技術や非接触ＩＣカード技術による通信によって行われる。紹介者端末装置２００は店舗装置１００から受信した組チケット情報を記憶部２２０のチケットＤＢ２２１に格納する（ステップＳ６）。
その後、顧客（紹介者端末装置２００をもつ紹介者）は組チケット情報のうち、割引チ
ケット情報のみを他の顧客（被紹介者）のもつ被紹介者端末装置３００に送信する（ステップＳ７）。ステップＳ７は例えば店舗で商品を購入し、店舗を利用した顧客（紹介者）が、商品に対して好印象を持った場合に、その商品を友人や知人に紹介するような場合に伴って行う。このため、割引チケット情報には前述したように商品に対する広告情報が含まれていることが望ましい。広告情報は例えば商品の広告が閲覧できるＷｅｂページのＵＲＬ等であってもよい。また、ステップＳ７に伴って紹介者のコメントを付随的に送信できるようになっていてもよい。
【００１２】
ステップＳ７は具体的には紹介者と被紹介者が会った際に、紹介者端末装置２００と被紹介者端末装置３００を近接させ、ＰＡＮ技術や非接触ＩＣカード技術による通信によって行うことができる。また、紹介者端末装置２００の表示部２４０に割引チケット情報をコード化した画像を表示させ、この画像を被紹介者端末装置３００の入力部２３０により読み取ることによってステップＳ７を実行してもよい。さらには、紹介者と被紹介者が離れている場合には、紹介者端末装置２００のネットワークインターフェース２６０によって割引チケット情報をメール等で送信するようにしてステップＳ７を実行してもよい。
【００１３】
以上のように紹介者は割引チケット情報を被紹介者に送信することにより、商品や店舗の紹介を行う。
紹介者端末装置２００から割引チケット情報を受信した被紹介者端末装置３００は受信した割引チケット情報を記憶部２２０のチケットＤＢ２２１に格納する（ステップＳ８）。被紹介者は格納した割引チケット情報を店舗に提示することによって商品購入時の割引等を受けることができる。この場合、被紹介者端末装置３００から店舗装置１００へ割引チケット情報を送信する（ステップＳ９）。ステップＳ９は具体的には店舗装置１００と被紹介者端末装置３００とを近接させ、ＰＡＮ技術や非接触ＩＣカード技術による通信によって行う。
チケット入出力部１５０により割引チケット情報を受信した店舗装置１００はチケット検証部１６０において割引チケット情報を検証する（ステップＳ１０）。割引チケット情報の検証は割引チケット情報の正当性及び割引条件への適合性を判定して行われる。割引チケット情報の正当性とは、割引チケット情報が偽造や改ざんされたものではないことを表す。割引条件への適合性とは、例えば割引情報に期限が含まれる場合には期限内であるかどうか、また割引店舗が限定されている場合には店舗装置１００が指定された店舗のものであるかどうか、さらには割引対象の商品が限定されている場合にはその商品を購入したかなどが検証される。
【００１４】
割引チケット情報の正当性の検証は、割引チケット情報に含まれている第１の認証情報が、割引チケット情報に含まれる識別情報及び割引情報と整合するかを調べることにより行う。具体的には店舗装置１００の記憶部１３０に格納されている鍵情報１３１を用いて、割引チケット情報の識別情報と割引情報から計算した認証子（ＭＡＣ：Message Authentication Code）が割引チケット情報に含まれている第１の認証情報と一致するかを調べ
ることにより行う。
店舗装置１００はチケット検証部１６０において割引チケット情報の検証に成功した場合、割引チケット情報を割引／還元処理部１７０に送り、割引の処理を実行する。具体的には割引情報に従い、割引対象商品の購入金額を割り引くなどである。
【００１５】
店舗装置１００は割引結果を被紹介者端末装置３００に送信する（ステップＳ１１）。割引結果を受信した被紹介者端末装置３００は必要に応じて不要となった割引チケット情報を記憶部２２０のチケットＤＢ２２１から抹消する（ステップＳ１２）。さらに、店舗装置１００は割引チケット情報を記憶部１３０のチケットＤＢ１３２に送り、割引処理を実行した旨、チケットＤＢ１３２を更新して割引登録をする（ステップＳ１３）。
図６は店舗装置１００の記憶部１３０のチケットＤＢ１３２のデータ構成例を示したものであり、チケットＤＢ１３２はエントリのリストから構成されている。各エントリは識別情報（シリアル番号）、割引情報、還元情報及びステータス情報から構成されている。なお、ここで識別情報、割引情報、還元情報は組チケット情報を構成する識別情報、割引情報、還元情報と同一であり、一つのエントリが一つの組チケット情報に対応する。
ステータス情報は組チケット情報が発行されたか否か、即ち組チケット情報が紹介者端末装置２００に送信されたか否かをＹ（Yes）またはＮ（No）で表している。同様に、組
チケット情報のうちの割引チケット情報が被紹介者端末装置３００から店舗装置１００に送信され、割引処理が実行されたか否かを、ＹまたはＮで表している。さらに、割引処理に対応して後述する還元処理が実行されたか否かを、ＹまたはＮで表している。
なお、図６は発行、割引及び還元のステータスをそれぞれＹ／Ｎの２値で表した例を示しているが、例えば複数の割引、複数の還元を行うように事前に割引／還元ポリシーを設定しておいてもよい。即ち、紹介者は組チケット情報のうち、割引チケット情報については自由にコピーを行って送信することで、複数の被紹介者に紹介を行うことができるものとする。
【００１６】
この場合において、複数の被紹介者が店舗装置１００に割引チケット情報を送信して割引を要求した場合、どのように割引を実施するかは事前に決められ、割引チケット情報の中の割引情報に明記されているものとする。例えば、割引要求をした複数の被紹介者のうちの先着１名に割引を実施する、着順に応じて割引率が異なる、全ての被紹介者に同一の割引を適用するなどである。なお、後述する還元の方法についても同様に事前に決められているものとする。
ここで、紹介者が紹介の見返りとして還元を受けるためには、実際に被紹介者によって紹介した商品の購入が行わなければならないものとする。即ち、割引チケット情報が店舗装置１００に送信され、割引処理が実行されているものとする。
紹介者は紹介者端末装置２００を操作し、ネットワークを経由するなどして、店舗装置１００に対して識別情報を送信し（ステップＳ１４）、還元の可否、即ち割引チケット情報が行使され、割引処理が実行されたか否かを確認する。店舗装置１００の制御部１８０は受信した識別情報に基づき、記憶部１３０のチケットＤＢ１３２を検索し、識別情報により特定される組チケット情報に対して割引処理が実行されたかを確認し（ステップＳ１５）、その結果に基づき還元の可否を紹介者端末装置２００に返信する（ステップＳ１６）。
【００１７】
可否の結果を受信した紹介者端末装置２００は還元可否の結果を記憶部２２０に蓄積すると共に表示部２４０等により表示し（ステップＳ１７）、紹介者である顧客に通知する。紹介者である顧客は紹介者端末装置２００を操作することにより、還元チケット情報を店舗装置１００に送信し、還元を要求する（ステップＳ１８）。なお、還元要求に伴う還元チケット情報の送信は、例えば紹介者が店舗に出向き、紹介者端末装置２００と店舗装置１００を近接させてＰＡＮ技術や非接触ＩＣカード技術等を用いて行う。あるいは紹介者が店舗に出向くことなく、ネットワーク経由で送信してもよい。
還元チケット情報をチケット入出力部１５０経由で受信した店舗装置１００は、チケット検証部１６０において還元チケット情報を検証する（ステップＳ１９）。還元チケット情報の検証は、還元チケット情報の正当性及び還元条件への適合性を判定して行われる。還元チケット情報の正当性と還元条件への適合性は前述した割引チケット情報の正当性と割引条件への適合性と同様であるため、説明を省略する。
店舗装置１００はチケット検証部１６０において還元チケット情報の検証に成功した場合、還元チケット情報を割引／還元処理部１７０に送り、還元の処理を実行する。具体的
には還元情報に従い、新たな割引を行う、プレゼントを進呈する、別途紹介者が保持するアカウントにポイントを付与するなどである。
【００１８】
店舗装置１００は還元結果を紹介者端末装置２００に送信する（ステップＳ２０）。還元結果を受信した紹介者端末装置２００は必要に応じて不要となった組チケット情報を記憶部２２０のチケットＤＢ２２１から抹消する（ステップＳ２１）。また、店舗装置１００は還元チケット情報を記憶部１３０のチケットＤＢ１３２に送り、還元処理を実行した旨、チケットＤＢ１３２を更新し、つまり還元登録をする（ステップＳ２２）。なお、この時、還元チケット情報の識別情報で指定される組チケット情報について、すべての処理が終了していると判断される場合には、その識別情報で指定されるチケットＤＢ１３２のエントリを全て消去してもよい。
割引または還元の処理は前述したように一度で完了しなくてもよい。例えば、複数の被紹介者が同様に割引を受け、それぞれの割引に対応して、つまり紹介に伴う購入行動に対応して紹介者は複数回還元を受けるようにしてもよい。この場合には割引及び還元はそれぞれ予め定められ、割引情報及び還元情報に明記された期限が切れるまで有効となる。なお、期限が切れた後、組チケット情報や還元チケット情報を紹介者端末装置２００や被紹介者端末装置３００から抹消するものとする。
紹介者は紹介者端末装置２００を操作し、ステップＳ１４を適宜、繰り返し実行することで、還元の可否について確認をするものとする。この際、紹介者は店舗装置１００にアクセスすることになるので、店舗装置１００は紹介者端末装置２００に対して広告情報をあわせて返信するようにしてもよい。このようにすれば、還元を受けるというインセンティブによって、店舗は顧客（紹介者）に対して広告情報の受信を促すことができる。
【００１９】
以上説明したように、実施形態１のチケットシステム１０においては、紹介者及び被紹介者の双方が利益を受けるという要求を実現しつつ、紹介者及び被紹介者の事前登録が不要となっている。このため、顧客は初めて利用した店舗であっても手間がかからず、簡単に商品や店舗を紹介することができ、還元による利益を得ることができる。同様に、被紹介者も簡単に割引を受けることができる。さらには、登録により個人情報を店舗に通知する必要がないため、匿名で安心して割引や紹介による還元を受けることができる。
なお、上述したように同一の識別情報を持つ複数の割引チケット情報により同様に割引が受けられる場合には割引チケット情報の秘匿性は要求されない。これは割引チケット情報がコピーされて第三者に渡ったとしても紹介者及び店舗にとって不利益になることがないからである。むしろ、広告効果が高まることが期待できる。
一方、還元を受ける顧客は通常は一人の紹介者であるため、還元チケット情報が漏洩すると紹介者の利益が損なわれる危険がある。このため、還元チケット情報は紹介者端末装置２００の安全な領域に格納され、店舗装置１００と紹介者端末装置２００との通信は暗号化されるなど、秘匿性が確保されている必要がある。このようにしたとしても還元チケット情報は顧客間で流通させる必要がないため、紹介者端末装置２００の安全性と紹介者端末装置２００と店舗装置１００間の通信の保護のみによる最小限の安全性の仮定で、システム全体の安全性を保証できる。また、同時に、割引チケット情報を秘匿化せず、自由にコピー流通させる運用により、口コミによる広告効果を生かすことができる。
【００２０】
なお、上述した例では、割引チケット情報及び還元チケット情報にそれぞれ含まれる第１の認証情報及び第２の認証情報は店舗装置１００の記憶部１３０に格納された鍵情報１３１を用いて、それぞれ割引情報と識別情報の組及び還元情報と識別情報の組に対して計算して生成しているが、例えばこれら認証情報をそれぞれ公開鍵暗号系により生成された、識別情報と割引情報及び識別情報と還元情報に対するディジタル署名とすることもできる。この場合、例えばステップＳ１０における割引チケット情報の正当性の検証は公
開鍵を用いたディジタル署名の検証により行われる。
また、ステップＳ５における店舗装置１００から紹介者端末装置２００への組チケット情報の送信及びステップＳ９における被紹介者端末装置３００から店舗装置１００への割引チケット情報の送信は、上述した例ではＰＡＮ技術や非接触ＩＣカード技術により行うものとしているが、これに限らず、例えば店舗装置１００のチケット入出力部１５０によって組チケット情報を表すバーコードをプリントし、紹介者端末装置２００の入力部２３０でそのバーコードを読み取ることでステップＳ５を実行してもよい。また、ステップＳ９については例えば被紹介者端末装置３００の表示部２４０に割引チケット情報をバーコードによりコード化して表示し、店舗装置１００のチケット入出力部１５０によりそのバーコードを読み取ることで実行してもよい。この場合、店舗装置１００のチケット入出力部１５０はバーコードを印刷するプリンタ及びバーコードを読み取るリーダを備えるものとされ、紹介者端末装置２００はバーコードを読み取るリーダを備えるものとされる。
【００２１】
なお、上述した例では店舗は売り場を有する実店舗として説明したが、この形態に限定されるものではなく、例えば店舗はオンライン電子商取引を行うサイトであってもよい。この場合、店舗装置はネットワーク上におかれたサーバであり、店舗装置と紹介者端末装置、被紹介者端末装置との間の通信はネットワークを介して行われる。この際、店舗装置と紹介者端末装置、被紹介者端末装置間において盗聴や改ざんを防止するための暗号化を必要に応じて用いてもよい。
【００２２】
〈実施形態２〉
実施形態２は実施形態１における店舗装置１００の機能を店舗装置１０１と管理装置４００とに分割したものであり、実施形態２のチケットシステムのシステム構成例を図７に示す。
店舗装置１０１と紹介者端末装置２００と被紹介者端末装置３００とは相互に情報授受可能とされており、管理装置４００は店舗装置１０１と情報授受可能とされて、チケットシステム２０が構成されている。
図８は店舗装置１０１の内部構成例を示したものであり、店舗装置１０１はこの例では割引／還元情報入力部１１０、入出力部１５１、割引／還元処理部１７０、制御部１８０及び割引情報確認部１９０を備えるものとされる。なお、図２と対応する部分については詳細説明を省略する。
入出力部１５１は組チケット情報、割引チケット情報、還元チケット情報の入出力に加え、各種情報の入出力を行う。
割引情報確認部１９０は被紹介者端末装置３００から受信した割引チケット情報に含まれている割引情報を確認し、割引条件に適合しているか否かを判定する。
次に、管理装置４００について説明する。図９は管理装置４００の内部構成例を示したものであり、管理装置４００は識別情報生成部４２０、記憶部４３０、チケット生成部４４０、入出力部４５０、チケット検証部４６０及び制御部４８０を備えるものとされる。
【００２３】
これら識別情報生成部４２０、記憶部４３０、チケット生成部４４０、入出力部４５０、チケット検証部４６０、制御部４８０は実施形態１の店舗装置１００（図２参照）が備える識別情報生成部１２０、記憶部１３０、チケット生成部１４０、チケット入出部１５０、チケット検証部１６０、制御部１８０とそれぞれ対応し、同様の機能を有するものとされる。なお、記憶部４３０は記憶部１３０と同様、鍵情報４３１を記憶すると共に、チケット生成部４４０で生成された組チケット情報をチケットＤＢ４３２に一時的に記憶する。
図１０は上記のような構成を有するチケットシステム２０の動作シーケンスを示したものであり、図４に示した実施形態１と対応する動作（過程）には同一ステップＮｏ．を付し、その詳細な説明を省略する。
この例では店舗装置１０１の割引／還元情報入力部１１０から割引情報と還元情報が入力設定される（ステップＳ１）と、それら割引情報と還元情報は管理装置４００に送信される（ステップＳ１０１）。管理装置４００は割引チケット情報と還元チケット情報を生成し（ステップＳ２）、さらに組チケット情報を生成して（ステップＳ３）、組チケット情報を記憶部４３０のチケットＤＢ４３２に格納する（ステップＳ４）。
【００２４】
顧客が店舗で買い物をした時、組チケット情報は管理装置４００から店舗装置１０１に送信され（ステップＳ１０２）、店舗装置１０１はその組チケット情報を顧客の紹介者端末装置２００に送信する（ステップＳ５）。以下、実施形態１と同様、ステップＳ６〜Ｓ９が実行される。
店舗装置１０１は被紹介者端末装置３００から割引チケット情報を受信すると、その割引チケット情報に含まれている割引情報を確認し（ステップＳ１０３）、割引条件への適合性が確認されれば、その割引チケット情報を管理装置４００に送信する（ステップＳ１０４）。
管理装置４００は受信した割引チケット情報を検証する（ステップＳ１０）。この管理装置４００における検証は割引チケット情報の正当性を検証するものであって、割引チケット情報に含まれている第１の認証情報が、割引チケット情報に含まれる識別情報及び割引情報と整合するかを、実施形態１の場合と同様に調べることにより行う。
管理装置４００は割引チケット情報の検証結果を店舗装置１０１に送信し（ステップＳ１０５）、店舗装置１０１は検証結果が正当であれば、割引チケット情報を割引／還元処理部１７０に送り、割引の処理を実行する。店舗装置１０１は割引結果を被紹介者端末装置３００に送信し（ステップＳ１１）、以下ステップＳ１２が適宜、実行される。
【００２５】
一方、店舗装置１０１は管理装置４００に割引処理を実行したことを通知し（ステップＳ１０６）、管理装置４００は割引処理を実行した旨、チケットＤＢ４３２を更新して割引登録をする（ステップＳ１３）。チケットＤＢ４３２のデータ構成は実施形態１における店舗装置１００のチケットＤＢ１３２のデータ構成（図６参照）と同様である。
紹介者は店舗装置１０１に対して識別情報を送信し（ステップＳ１４）、還元の可否（割引処理が実行されたか否か）を確認する。識別情報は店舗装置１０１から管理装置４００に送信され（ステップＳ１０７）、管理装置４００は識別情報に基づき、チケットＤＢ４３２を検索し、割引処理が実行されたかを確認し（ステップＳ１５）、その確認結果を店舗装置１０１に送信する（ステップＳ１０８）。店舗装置１０１は確認結果に基づき、還元の可否を紹介者端末装置に返信する（ステップＳ１６）。
可否の結果を受信した紹介者端末装置２００はその結果を記憶部２２０に蓄積すると共に表示部２４０により表示し（ステップＳ１７）、紹介者である顧客に通知する。紹介者である顧客は還元チケット情報を店舗装置１０１に送信し、還元を要求する（ステップＳ１８）。店舗装置１０１は受信した還元チケット情報を管理装置４００に送信し（ステップＳ１０９）、管理装置４００はチケット検証部４６０において還元チケット情報を検証し（ステップＳ１９）、その検証結果を店舗装置１０１に送信する（ステップＳ１１０）。
【００２６】
検証結果が正当であれば、店舗装置１０１は還元チケット情報を割引／還元処理部１７０に送り、還元の処理を実行する。店舗装置１０１は還元結果を紹介者端末装置２００に送信し（ステップＳ２０）、また還元処理を実行したことを管理装置４００に通知する（ステップＳ１１１）。以下、紹介者端末装置２００においてはステップＳ２１が実行され、また管理装置４００においては還元処理を実行した旨、チケットＤＢ４３２が更新され、還元登録が行われる（ステップＳ２２）。
この実施形態２のチケットシステム２０によれば、前述した実施形態１と同様の効果を得ることができ、さらに管理装置４００を設け、その管理装置４００に割引／還元／組チケット情報の生成機能、検証機能及びチケットＤＢを持たせたことにより、その分店舗装置の簡易化を図れるものとなっている。従って、店舗装置を設置する事業者（店舗装置の管理者）の導入、運用コストの低減を図ることができ、また管理の簡易化を図ることができる。
【００２７】
なお、管理装置４００は例えばチケットシステム２０を運用する（紹介チケットサービスを提供する）プラットフォーム事業者が管理するものとし、複数の店舗装置に対して管理業務を管理装置４００に一元化すれば、管理装置４００の共用化が実現する。
上述した例では管理装置４００は記憶部４３０にチケットＤＢ４３２を具備するものとなっているが、例えばチケットＤＢは管理装置ではなく、店舗装置に置くようにしてもよい。図１１及び１２はこの場合の店舗装置１０１ａの構成及び管理装置４００ａの構成をそれぞれ示したものであり、店舗装置１０１ａは記憶部１３０にチケットＤＢ１３２を有するものとなっている。１店舗のみによる運営であって、店舗装置が一台の場合にはこのようにチケットＤＢを店舗装置に置いてもよい。
【００２８】
〈実施形態３〉
実施形態３は実施形態１における店舗装置１００の機能を店舗装置１０２とチケット配布装置５００とに分割したものであり、実施形態３のチケットシステムのシステム構成例を図１３に示す。
チケット配布装置５００は店舗装置１０２及び紹介者端末装置２００とそれぞれ情報授受可能とされており、被紹介者端末装置３００は店舗装置１０２及び紹介者端末装置２００とそれぞれ情報授受可能とされて、チケットシステム３０が構成されている。
図１４は店舗装置１０２の内部構成例を示したものであり、店舗装置１０２はこの例では割引情報入力部１１１、記憶部１３０、割引チケット生成部１４１、入出力部１５１、割引チケット検証部１６１、割引処理部１７１及び制御部１８０を備えるものとされる。この店舗装置１０２は割引チケット情報を生成・検証を行い、被紹介者である顧客が割引を受ける装置とされる。
割引情報入力部１１１は割引情報を入力する。
割引チケット生成部１４１はこの例では記憶部１３０に格納された鍵情報１３１を用い、チケット配布装置５００から受信した識別情報と割引情報の組に対応する第１の認証情報を計算し、識別情報と割引情報と第１の認証情報とからなる割引チケット情報を生成する。
記憶部１３０は鍵情報１３１を記憶し、また割引チケット生成部１４１で生成された割引チケット情報を割引チケットＤＢ１３３に一時的に記憶する。割引チケットＤＢ１３３はエントリのリストから構成されており、各エントリは識別情報と割引情報とで構成され、一つのエントリが一つの割引チケット情報に対応する。
【００２９】
入出力部１５１は割引チケット情報等の各種情報の入出力を行う。
割引チケット検証部１６１は被紹介者端末装置３００から受信した割引チケット情報の検証を行う。
割引処理部１７１は割引チケット検証部１６１で検証された割引チケット情報に基づき、割引処理を実行する。
制御部１８０は店舗装置１０２全体の制御を行う。
次に、チケット配布装置５００について説明する。図１５はチケット配布装置５００の内部構成例を示したものであり、チケット配布装置５００はこの例では還元情報入力部５１０、識別情報生成部５２０、記憶部５３０、還元チケット生成部５４０、入出力部５５０、還元チケット検証部５６０、還元処理部５７０及び制御部５８０を備えるものとされる。このチケット配布装置５００は還元チケット情報の生成・検証を行い、紹介者である顧客が還元を受ける装置とされる。
【００３０】
還元情報入力部５１０は還元情報を入力する。
識別情報生成部５２０は制御部５８０からの指示により還元情報及び割引情報に対して割り当てる一意の識別情報を生成する。
還元チケット生成部５４０はこの例では記憶部５３０に格納された鍵情報５３１を用い、識別情報と還元情報の組に対応する第２の認証情報を計算し、識別情報と還元情報と第２の認証情報とからなる還元チケット情報を生成する。
記憶部５３０は鍵情報５３１を記憶し、また還元チケット生成部５４０で生成された還元チケット情報を還元チケットＤＢ５３２に一時的に記憶する。還元チケットＤＢ５３２はエントリのリストから構成されており、各エントリは識別情報と還元情報とステータス情報とで構成され、即ち実施形態１におけるチケットＤＢ１３２のデータ構成（図６参照）から割引情報が除かれた構成とされる。一つのエントリは一つの還元チケット情報に対応する。
入出力部５５０は還元チケット情報等の各種情報の入出力を行う。
還元チケット検証部５６０は紹介者端末装置２００から受信した還元チケット情報の検証を行う。
還元処理部５７０は還元チケット検証部５６０で検証された還元チケット情報に基づき、還元処理を実行する。
制御部５８０はチケット配布装置５００全体の制御を行う。
図１６は上記のような構成を有するチケットシステム３０の動作シーケンスを示したものであり、図４に示した実施形態１と対応する動作（過程）には同一ステップＮｏ．を付し、その詳細な説明を省略する。
【００３１】
この例ではチケット配布装置５００において識別情報が生成され（ステップＳ２０１）、チケット配布装置５００は識別情報を店舗装置１０２に送信する（ステップＳ２０２）。還元情報入力部５１０から還元情報が入力設定される（ステップＳ２０３）と、チケット配布装置５００は還元チケット情報を生成して（ステップＳ２０４）、還元チケット情報を記憶部５３０の還元チケットＤＢ５３２に格納する（ステップＳ２０５）。
一方、店舗装置１０２は割引情報入力部１１１から割引情報が入力設定される（ステップＳ２０６）と、チケット配布装置５００から受信した識別情報を、その割引情報に対して割り当て、割引チケット情報を生成して（ステップＳ２０７）、割引チケット情報を記憶部１３０の割引チケットＤＢ１３３に格納する（ステップＳ２０８）。
チケット配布装置５００は例えば街頭端末として設置され、顧客（紹介者）はチケット配布装置５００から組チケット情報を入手できるものとされる。なお、この実施形態３では顧客は実施形態１や２のような店舗での買い物を前提とせず、組チケット情報を入手することができる。
チケット配布装置５００を顧客が操作することにより、割引チケット情報が店舗装置１０２からチケット配布装置５００に送信され（ステップＳ２０９）、その割引チケット情報と、その割引チケット情報と同一識別情報を有する還元チケット情報とが組にされた組チケット情報がチケット配布装置５００から紹介者端末装置２００に送信される（ステップＳ５）。以下、実施形態１と同様、ステップＳ６〜Ｓ１２が実行される。
【００３２】
店舗装置１０２は割引処理を実行した場合、割引結果を被紹介者端末装置３００に送信する（ステップＳ１１）と共に、割引処理を実行したことをチケット配布装置５００に通知する（ステップＳ２１０）。チケット配布装置５００は割引処理を実行した旨、還元チケットＤＢ５３２を更新して割引登録をする（ステップＳ１３）。以下、実施形態１と同様、ステップＳ１４〜Ｓ２１が実行される。なお、この実施形態３ではステップＳ１４〜Ｓ２１はチケット配布装置５００、紹介者端末装置２００及びそれら装置間で行われる。
チケット配布装置５００は還元結果を紹介者端末装置２００に送信する（ステップＳ２０）と共に、還元処理を実行したことを店舗装置１０２に通知する（ステップＳ２１１）。また、チケット配布装置５００は還元チケット情報を還元チケットＤＢ５３２に送り、還元チケットＤＢ５３２を更新して還元登録をする（ステップＳ２２）。なお、この時、還元チケット情報について、すべての処理が終了していると判断される場合には、その識別情報で指定される還元チケットＤＢ５３２のエントリを全て消去してもよい。また、店舗装置１０２においては還元実行通知に伴い、必要に応じて不要となった割引チケット情報を割引チケットＤＢ１３３から抹消する（ステップＳ２１２）。
【００３３】
この実施形態３のチケットシステム３０によれば、実施形態１と同様の効果を得ることができ、さらに街頭端末としてチケット配布装置５００を設置することで、顧客（紹介者）が組チケット情報を入手する機会を増やし、紹介者が被紹介者に対し、割引チケット情報の配布を行う機会を増やすことを可能とする。即ち、広告効果を向上させることができる。
店舗装置１０２とチケット配布装置５００とは一対一に対応してもよいし、１つの店舗装置１０２と多数のチケット配布装置５００が対応してもよい。また、例えば商店街等でチケット配布装置５００を共用化してもよく、商店街やチェーン店等において、割引チケット情報／還元チケット情報の相互利用を図るようにしてもよい。なお、多数の店舗装置１０２と多数のチケット配布装置５００とを相互に接続することで、より高い広告効果が得られる。
【００３４】
〈実施形態４〉
実施形態４は実施形態２における店舗装置１０１の機能を店舗装置１０３とチケット配布装置５０１とに分割したものであって、即ち、実施形態２と実施形態３の複合形態であり、実施形態４のチケットシステムのシステム構成例を図１７に示す。
チケット配布装置５０１は店舗装置１０３及び紹介者端末装置２００とそれぞれ情報授受可能とされており、被紹介者端末装置３００は店舗装置１０３及び紹介者端末装置２００とそれぞれ情報授受可能とされている。また、管理装置４００は店舗装置１０３と情報授受可能とされて、チケットシステム４０が構成されている。
図１８は店舗装置１０３の内部構成例を示したものであり、店舗装置１０３は割引情報入力部１１１、入出力部１５１、割引情報確認部１９０、割引処理部１７１及び制御部１８０を備えるものとされる。割引情報入力部１１１、入出力部１５１、割引処理部１７１及び制御部１８０は実施形態３の店舗装置１０２が備える構成と同じであり、割引情報確認部１９０は実施形態２の店舗装置１０１が備える構成と同じである。
【００３５】
図１９はチケット配布装置５０１の内部構成例を示したものであり、チケット配布装置５０１は還元情報入力部５１０、入出力部５５０、還元処理部５７０及び制御部５８０を備えるものとされる。これら還元情報入力部５１０、入出力部５５０、還元処理部５７０及び制御部５８０は実施形態３のチケット配布装置５００が備える構成と同じである。
管理装置４００は実施形態２における管理装置４００と同じである。
図２０は上記のような構成を有するチケットシステム４０の動作シーケンスを示したものであり、図４に示した実施形態１と対応する動作（過程）には同一ステップＮｏ．を付し、その詳細な説明を省略する。
この例では店舗装置１０３の割引情報入力部１１１から割引情報が入力設定され（ステップＳ３０１）、チケット配布装置５０１の還元情報入力部５１０から還元情報が入力設定される（ステップＳ３０２）。還元情報はチケット配布装置５０１から店舗装置１０３に送信され（ステップＳ３０３）、店舗装置１０３は受信した還元情報と割引情報とを管理装置４００に送信する（ステップＳ３０４）。
管理装置４００は割引チケット情報と還元チケット情報を生成し（ステップＳ２）、さらに組チケット情報を生成して（ステップＳ３）、組チケット情報をチケットＤＢ４３２に格納する（ステップＳ４）。
【００３６】
チケット配布装置５０１を顧客が操作することにより、組チケット情報が管理装置４００から店舗装置１０３に送信され（ステップＳ３０５）、さらに店舗装置１０３からチケット配布装置５０１に送信される（ステップＳ３０６）。そして、チケット配布装置５０１から紹介者端末装置２００に組チケット情報が送信される（ステップＳ５）。以下、実施形態１と同様、ステップＳ６〜Ｓ９が実行される。
店舗装置１０３は被紹介者端末装置３００から割引チケット情報を受信すると、その割引チケット情報に含まれている割引情報を確認し（ステップＳ３０７）、割引条件への適合性が確認されれば、その割引チケット情報を管理装置４００に送信する（ステップＳ３０８）。
管理装置４００は受信した割引チケット情報の正当性を検証し（ステップＳ１０）、検証結果を店舗装置１０３に送信する（ステップＳ３０９）。店舗装置１０３は検証結果が正当であれば、割引チケット情報を割引処理部１７１に送り、割引の処理を実行する。店舗装置１０３は割引結果を被紹介者端末装置３００に送信し（ステップＳ１１）、以下、ステップＳ１２が適宜、実行される。
一方、店舗装置１０３は管理装置４００に割引処理を実行したことを通知し（ステップＳ３１０）、管理装置４００は割引処理を実行した旨、チケットＤＢ４３２を更新して割引登録をする（ステップＳ１３）。
【００３７】
紹介者はチケット配布装置５０１に対して識別情報を送信し（ステップＳ１４）、還元の可否を確認する。識別情報はチケット配布装置５０１から店舗装置１０３に送信され（ステップＳ３１１）、さらに管理装置４００に送信される（ステップＳ３１２）。管理装置４００は識別情報に基づき、チケットＤＢ４３２を検索し、割引処理が実行されたかを確認し（ステップＳ１５）、その確認結果を店舗装置１０３に送信する（ステップＳ３１３）。確認結果は店舗装置１０３からチケット配布装置５０１に送信され（ステップＳ３１４）、チケット配布装置５０１は確認結果に基づき、還元の可否を紹介者端末装置２００に返信する（ステップＳ１６）。以下、実施形態１と同様、ステップＳ１７が実行される。
紹介者である顧客は還元チケット情報をチケット配布装置５０１に送信し、還元を要求する（ステップＳ１８）。還元チケット情報はチケット配布装置５０１から店舗装置１０３に送信され（ステップＳ３１５）、さらに管理装置４００に送信される（ステップＳ３１６）。管理装置４００はチケット検証部４６０において還元チケット情報を検証し（ステップＳ１９）、その検証結果を店舗装置１０３に送信する（ステップＳ３１７）。
店舗装置１０３は検証結果をチケット配布装置５０１に送信し（ステップＳ３１８）、検証結果が正当であれば、チケット配布装置５０１は還元チケット情報を還元処理部５７０に送り、還元の処理を実行する。チケット配布装置５０１は還元結果を紹介者端末装置２００に送信し（ステップＳ２０）、紹介者端末装置２００においてはステップＳ２１が実行される。
【００３８】
一方、チケット配布装置５０１は還元処理を実行したことを店舗装置１０３に通知し（ステップＳ３１９）、店舗装置１０３はその受信した還元実行通知を管理装置４００に送信する（ステップＳ３２０）。管理装置４００においては還元処理を実行した旨、チケットＤＢ４３２が更新され、還元登録が行われる（ステップＳ２２）。
この実施形態４のチケットシステム４０によれば、実施形態２と実施形態３の効果を併せ持つものとなり、店舗装置管理者及びチケット配布装置管理者の導入、運用コストの低減、管理の簡易化を図ることができる。なお、店舗装置１０３及びチケット配布装置５０１はそれぞれ割引情報入力機能、還元情報入力機能を有するため、店舗装置１０３及びチケット配布装置５０１の設置事業者（管理者）が配信を望む割引／還元内容を弾力的に設定し、運用することができる。
【００３９】
〈実施形態５〉
実施形態５は実施形態１の構成に通知装置６００を付加したものであり、実施形態５のチケットシステムのシステム構成例を図２１に示す。
通知装置６００は店舗装置１００及び紹介者端末装置２００とそれぞれ情報授受可能とされて、チケットシステム５０が構成されている。
図２２は通知装置６００の内部構成例を示したものであり、通知装置６００は記憶部６３０、入出力部６５０、発行証明情報検証部６６０、制御部６８０及び検索部６９０を備えるものとされる。
記憶部６３０は鍵情報６３１を記憶し、また紹介者端末装置２００から送信されてきた発行証明情報に含まれる識別情報と連絡先情報とを組にして紹介者ＤＢ６３２に一時的に記憶する。なお、鍵情報６３１はこの例では店舗装置１００（図２参照）の記憶部１３０に格納されている鍵情報１３１と同一とされる。
入出力部６５０は発行証明情報、連絡先情報等の各種情報の入出力を行う。
発行証明情報検証部６６０は紹介者端末装置２００から受信した発行証明情報の検証を行う。
検索部６９０は店舗装置１００から受信した識別情報をもとに紹介者ＤＢ６３２を検索し、その識別情報と組とされて記憶されている連絡先情報を抽出する。
制御部６８０は通知装置６００全体の制御を行う。
図２３は上記のような構成を有するチケットシステム５０の動作シーケンスを示したものであり、図４に示した実施形態１と対応する動作（過程）については同一ステップＮｏ．を付し、その詳細な説明を省略する。
【００４０】
この例では店舗装置１００の割引／還元情報入力部１１０から割引情報と還元情報と通知情報とが入力設定される（ステップＳ４０１）。通知情報は顧客（被紹介者）が割引チケット情報を使用し、紹介者である顧客が還元チケット情報を利用できる状況になったことを紹介者に通知するために用いられる情報であり、任意のテキスト、画像情報等の店舗が紹介者に伝達したい内容とする。
店舗装置１００はチケット生成部１４０において、割引情報及び還元情報に対して同一の識別情報を割り当て、さらに第１の認証情報及び第２の認証情報をそれぞれに付与して割引チケット情報と還元チケット情報を生成する。さらに、この例では上記割り当てた識別情報に第３の認証情報を付与して発行証明情報を生成する（ステップＳ４０２）。
第１の認証情報は記憶部１３０に格納された鍵情報１３１を用いて識別情報と割引情報から計算された認証子とされ、第２の認証情報は鍵情報１３１を用いて識別情報と割引情報から計算された認証子とされる。また、第３の認証情報は鍵情報１３１を用いて識別情報から計算された認証子とされる。
チケット生成部１４０は生成した割引チケット情報と還元チケット情報と発行証明情報とを組にして組チケット情報を生成する（ステップＳ３）。組チケット情報は記憶部１３０のチケットＤＢ１３２に格納され、また通知情報もチケットＤＢ１３２に格納される（ステップＳ４０３）。
【００４１】
顧客が店舗で買い物をした時、店舗装置１００は顧客の紹介者端末装置２００に組チケット情報を送信し（ステップＳ５）、紹介者端末装置２００は受信した組チケット情報をチケットＤＢ２２１に格納する（ステップＳ６）。そして、紹介者端末装置２００は組チケット情報に含まれている発行証明情報と共に、紹介者端末装置２００への連絡に必要な連絡先情報を通知装置６００に送信する（ステップＳ４０４）。連絡先情報は電話番号あるいは電子メール、ＳＭＳ（Short Message Service）のアドレス等とされる。
通知装置６００は発行証明情報と連絡先情報を受信すると、発行証明情報検証部６６０が発行証明情報を検証する（Ｓ４０５）。検証は記憶部６３０に格納されている鍵情報６３１を用いて発行証明情報の識別情報から計算した認証子が発行証明情報に含まれている第３の認証情報と一致するかを調べることにより行う。
発行証明情報が正当であれば（検証に成功した場合）、通知装置６００は発行証明情報に含まれている識別情報と連絡先情報とを組にして記憶部６３０の紹介者ＤＢ６３２に格納する（ステップＳ４０６）。
一方、紹介者端末装置２００から被紹介者端末装置３００に割引チケット情報が送信され（ステップＳ７）、以下、実施形態１と同様、ステップＳ８〜Ｓ１３が実行される。
店舗装置１００は割引処理を実行し、チケットＤＢ１３２を更新して割引登録をする（ステップＳ１３）と、割引処理をした割引チケット情報の識別情報とチケットＤＢ１３２に格納されている通知情報とを通知装置６００に送信する（ステップＳ４０７）。なお、この際、店舗（店舗の人）は送信する通知情報に対してさらに情報を付加することもできる。
【００４２】
通知装置６００は識別情報と通知情報を受信すると、検索部６９０が紹介者ＤＢ６３２からその識別情報と組とされている連絡先情報を検策し（ステップＳ４０８）、その連絡先情報をもとに紹介者端末装置２００に通知情報を送信する（ステップＳ４０９）。
通知情報を受信した紹介者端末装置２００は通知情報を表示部２４０等により表示し（ステップＳ４１０）、紹介者である顧客に通知する。これにより、紹介者である顧客は還元チケット情報を利用できる状況になったことを、つまり還元を受けられることを知ることができる。以下、実施形態１と同様、ステップＳ１８〜Ｓ２２が実行される。なお、通知装置６００においては不要となった識別情報、連絡先情報は紹介者ＤＢ６３２から抹消される（ステップＳ４１１）。
この実施形態５のチケットシステム５０によれば、紹介者端末装置２００に対し、還元チケット情報を利用できる状況になったことの通知が行われるため、実施形態１の場合のように紹介者は紹介者端末装置２００から識別情報を送信して還元の可否を確認する必要はなく、よってその分紹介者の手間を省くことができる。
なお、紹介者端末装置２００が通知装置６００から通知情報を得るためには連絡先情報を通知装置６００に登録する必要があるが、この登録は被紹介者端末装置３００に割引チケット情報を送信する時に行えばよく、また紹介者が還元の利益を受けるための必須の条件ではなく、任意に選択できる条件であるため、チケットシステムの利用の妨げにはならない。
【００４３】
また、複数の店舗装置１００に対して通知装置６００を一元化すれば、連絡先情報を一つの通知装置６００に登録するだけでよく、個人情報の提供という意味では心理的な抵抗は軽減される。通知装置６００は例えばチケットシステム５０を運用する（紹介チケットサービスを提供する）プラットフォーム事業者が管理するものとする。
なお、上述したシーケンスでは紹介者端末装置２００は通知装置６００の特定手段を有し、店舗装置１００は通知装置６００の特定手段を有するものとしているが、例えば紹介者端末装置２００が通知装置６００の特定手段を有さない場合には、店舗装置１００はステップＳ５で紹介者端末装置２００に組チケット情報を送信する際に、同時に通知装置６００を特定する情報（ＩＰアドレス，ＵＲＬ等）を送信するようにすればよい。
また、例えば店舗装置１００が通知装置６００の特定手段を有さない場合には、店舗装置１００はステップＳ５で紹介者端末装置２００に組チケット情報を送信する際に、同時に店舗装置１００を特定する情報（ＩＰアドレス，ＵＲＬ等）を送信するようにし、紹介者端末装置２００はステップＳ４０４で通知装置６００に発行証明情報と連絡先情報を送信する際に、その店舗装置１００を特定する情報を同時に送信するようにする。そして、通知装置６００はステップＳ４０６での識別情報、連絡先情報保存の際に、店舗装置１００にその識別情報と共に通知装置６００を特定する情報（ＩＰアドレス，ＵＲＬ等）を送信するようにすればよい。
【００４４】
〈実施形態６〉
実施形態６は実施形態５と同様、実施形態１の構成に通知装置を付加したものであるが、この実施形態６における通知装置６０１は被紹介者端末装置３００に割引チケット情報の利用状況を通知する機能を有するものであり、実施形態６のチケットシステムのシステム構成例を図２４に示す。
通知装置６０１は店舗装置１００及び被紹介者端末装置３００とそれぞれ情報授受可能とされて、チケットシステム６０が構成されている。
図２５は通知装置６０１の内部構成例を示したものであり、通知装置６０１は記憶部６３０、入出力部６５０、チケット検証部６６１、制御部６８０及び検索部６９０を備えるものとされる。
記憶部６３０は鍵情報６３１を記憶し、また被紹介者端末装置３００から送信されてきた割引チケット情報の識別情報と連絡先情報とを組にして被紹介者ＤＢ６３３に一時的に記憶する。なお、鍵情報６３１はこの例では店舗装置１００（図２参照）の記憶部１３０に格納されている鍵情報１３１と同一とされる。
入出力部６５０は割引チケット情報、連絡先情報等の各種情報の入出力を行う。
チケット検証部６６１は被紹介者端末装置３００から受信した割引チケット情報の検証を行う。
検索部６９０は店舗装置１００から受信した識別情報をもとに被紹介者ＤＢ６３３を検索し、その識別情報と組とされて記憶されている連絡先情報を抽出する。
制御部６８０は通知装置６０１全体の制御を行う。
図２６は上記のような構成を有するチケットシステム６０の動作シーケンスの要部を示したものであり、図４に示した実施形態１と対応する動作（過程）については同一ステップＮｏ．を付し、その詳細な説明を省略する。
【００４５】
まず、実施形態１と同様、ステップＳ１〜Ｓ８が実行される。この例では顧客（紹介者端末装置２００をもつ紹介者）は割引チケット情報を複数の顧客（被紹介者）の被紹介者端末装置に送信するものとし、それら被紹介者端末装置を図２６では被紹介者端末装置３００−１，３００−２として示している。被紹介者端末装置３００−１，３００−２はそれぞれ受信した割引チケット情報をチケットＤＢ２２１に格納する（ステップＳ８）。ここで、被紹介者端末装置３００−１は割引チケット情報の利用状況の通知を希望する被紹介者がもつものとし、被紹介者端末装置３００−２は他の被紹介者がもつものとする。
被紹介者端末装置３００−１は割引チケット情報と共に、被紹介者端末装置３００−１への連絡に必要な連絡先情報を通知装置６０１に送信する（ステップＳ５０１）。連絡先情報は実施形態５において説明した内容のものと同じである。
通知装置６０１は被紹介者端末装置３００−１から割引チケット情報と連絡先情報を受信すると、チケット検証部６６１が割引チケット情報を検証する（ステップＳ５０２）。検証は記憶部６３０に格納されている鍵情報６３１を用いて割引チケット情報の識別情報と割引情報から計算した認証子が割引チケット情報に含まれている第１の認証情報と一致するかを調べることにより行う。
【００４６】
割引チケット情報の検証に成功した場合、通知装置６０１は割引チケット情報に含まれている識別情報と連絡先情報とを組にして記憶部６３０の被紹介者ＤＢ６３３に格納する（ステップＳ５０３）。
一方、被紹介者端末装置３００−２から店舗装置１００へ割引チケット情報が送信される（ステップＳ９）と、実施形態１と同様、ステップＳ１０〜Ｓ１３が実行され、割引処理が実行される。そして、店舗装置１００は割引処理をした割引チケット情報に含まれる識別情報と、割引処理を実行したことに基づく、つまりチケットＤＢ１３２を更新したことに基づくチケット利用情報を通知装置６０１に送信する（ステップＳ５０４）。チケット利用情報は店舗装置１００が被紹介者端末装置に通知させたい当該割引チケット情報の使用可能回数、金額等のテキスト、画像等からなる。
通知装置６０１は識別情報とチケット利用情報を受信すると、検索部６９０が被紹介者ＤＢ６３３からその識別情報と組とされている連絡先情報を検索し（ステップＳ５０５）、その連絡先情報をもとに被紹介者端末装置３００−１にチケット利用情報を送信する（ステップＳ５０６）。
チケット利用情報を受信した被紹介者端末装置３００−１はチケット利用情報を表示部２４０等により表示し（ステップＳ５０７）、被紹介者である顧客に通知する。これにより、被紹介者である顧客は割引チケット情報の利用状況を知ることができる。以下、被紹介者端末装置３００−１においては割引の利益を受けようとする場合、実施形態１と同様、割引チケット情報を店舗装置１００に送信することが行われ、つまりステップＳ９〜Ｓ１３が実施形態１と同様に実行される。なお、紹介者である顧客が還元の利益を受ける場合は実施形態１と同様、ステップＳ１４〜Ｓ２２が実行される。
この実施形態６のチケットシステム６０によれば、割引チケット情報の利用状況の通知を希望する顧客（被紹介者）に対して、チケット利用情報が送信されるため、顧客は割引の利益を受けるか否かを、つまり割引チケット情報の行使を行うか否かを、そのチケット利用情報を参考にして決めることができる。
【００４７】
〈実施形態７〉
実施形態６においては割引チケット情報の利用状況の通知を希望する被紹介者は連絡先情報を通知装置６０１に送信しておくことにより、通知装置６０１から割引チケット情報が使用される度にチケット利用情報の配信を受けられるものとなっているが、例えば通知装置６０１を設けることなく、被紹介者が被紹介者端末装置３００から店舗装置１００に直接、割引チケット情報の利用状況を確認するような構成を採用することもできる。
この場合、被紹介者が割引チケット情報の利用状況を確認したい場合には被紹介者端末装置３００から店舗装置１００に、割引チケット情報と共にチケット利用状況確認要求を送信するものとする。割引チケット情報とチケット利用状況確認要求を同時に受けた店舗装置１００は当該割引チケット情報の利用状況を確認し、応答する。
応答は実施形態６の場合と同様のチケット利用情報を被紹介者端末装置３００に送信することによって行われる。なお、この応答に替え、チケット利用情報を店舗装置１００に表示するようにしてもよく、被紹介者が店頭でチケット利用状況確認要求を行うような場合にはこのような応答形態を採用することができる。
この実施形態７のチケットシステムによれば、被紹介者は被紹介者端末装置３００から要求することにより、その時点における割引チケット情報の利用状況を知ることができる。
【図面の簡単な説明】
【００４８】
【図１】この発明によるチケットシステムの実施形態１のシステム構成例を示す図。
【図２】図１における店舗装置の構成を示す図。
【図３】図１における紹介者端末装置の構成を示す図。
【図４】図１に示したチケットシステムの動作を説明するためのシーケンス図。
【図５】（ａ）は組チケット情報を示す図、（ｂ）は割引チケット情報を示す図、（ｃ）は還元チケット情報を示す図。
【図６】図２に示した店舗装置のチケットＤＢのデータ構成例を示す図。
【図７】この発明によるチケットシステムの実施形態２のシステム構成例を示す図。
【図８】図７における店舗装置の構成を示す図。
【図９】図７における管理装置の構成を示す図。
【図１０】図７に示したチケットシステムの動作を説明するためのシーケンス図。
【図１１】図７における店舗装置の他の構成を示す図。
【図１２】図７における管理装置の他の構成を示す図。
【図１３】この発明によるチケットシステムの実施形態３のシステム構成例を示す図。
【図１４】図１３における店舗装置の構成を示す図。
【図１５】図１３におけるチケット配布装置の構成を示す図。
【図１６】図１３に示したチケットシステムの動作を説明するためのシーケンス図。
【図１７】この発明によるチケットシステムの実施形態４のシステム構成例を示す図。
【図１８】図１７における店舗装置の構成を示す図。
【図１９】図１７におけるチケット配布装置の構成を示す図。
【図２０】図１７に示したチケットシステムの動作を説明するためのシーケンス図。
【図２１】この発明によるチケットシステムの実施形態５のシステム構成例を示す図。
【図２２】図２１における通知装置の構成を示す図。
【図２３】図２１に示したチケットシステムの動作を説明するためのシーケンス図。
【図２４】この発明によるチケットシステムの実施形態６のシステム構成例を示す図。
【図２５】図２４における通知装置の構成を示す図。
【図２６】図２４に示したチケットシステムの要部動作を説明するためのシーケンス図。
【図１】
0004738264.tif 000002
【図２】
0004738264.tif 000003
【図３】
0004738264.tif 000004
【図４】
0004738264.tif 000005
【図５】
0004738264.tif 000006
【図６】
0004738264.tif 000007
【図７】
0004738264.tif 000008
【図８】
0004738264.tif 000009
【図９】
0004738264.tif 000010
【図１０】
0004738264.tif 000011
【図１１】
0004738264.tif 000012
【図１２】
0004738264.tif 000013
【図１３】
0004738264.tif 000014
【図１４】
0004738264.tif 000015
【図１５】
0004738264.tif 000016
【図１６】
0004738264.tif 000017
【図１７】
0004738264.tif 000018
【図１８】
0004738264.tif 000019
【図１９】
0004738264.tif 000020
【図２０】
0004738264.tif 000021
【図２１】
0004738264.tif 000022
【図２２】
0004738264.tif 000023
【図２３】
0004738264.tif 000024
【図２４】
0004738264.tif 000025
【図２５】
0004738264.tif 000026
【図２６】
0004738264.tif 000027